(57)【要約】【課題】電解助剤液を混入した水道水が供給される電解イオン水生成器において、生成器の出口から強酸性イオン水と強アルカリ性イオン水が出水され、この出口に圧力調整機能を持った流量調整器を設け、出口から出水するイオン水の出水の流量を調整することが可能なイオン水生成器を提供する。【解決手段】イオン水生成器の出口にチューブを接続し、このチューブに圧力調整機能を有した流量調整器を配置し、このチューブを圧力調整することで流量調整ができ、チューブを通過する電解イオン水の出水の流量を調整することが可能となる。【選択図１】【特許請求の範囲】
【請求項１】
電解助剤液が混入された水道水が、強酸性イオン水と強アルカリ性イオン水として出水する電解イオン水生成器において、上記電解イオン水生成器の出口にチューブを接続し、このチューブの周囲から手動の圧力がかかる様にした圧力調整機能を持った流量調整器を設けたことを特徴とする電解イオン水生成器の流量調整器。
【請求項２】
請求項１の流量調整器において、小型のモーターやソレノイドを用いて自動の圧力調整機能を持った流量調整器を設けたことを特徴とする電解イオン水生成器の流量調整器。
【発明の詳細な説明】
【０００１】
【発明の属する技術分野】
本発明は，流量調整器が取り付けられた電解イオン水生成器の流量調整器に関する。
【０００２】
【従来の技術】
図４に従来の例を示す。水道水１がイオン交換膜１１を通して電気分解され、強酸性イオン水と強アルカリ性イオン水に電気分解される電解イオン水生成器６において、上記電解イオン水生成器６のイオン水出口部分は流量を一定に調整する流量調整器９と１０が取り付けられており、強酸性イオン水と強アルカリ性イオン水が電解イオン水生成器６の出口から流量調整されて出水している構造となっていた。尚、交流電源１４から直流電源装置１２とポンプ制御装置１３に電圧が加えられており、直流電源装置１２は電解イオン水生成器６の＋電極６ｃとー電極６ｄに接続され、電解助剤液が混ざった水道水を電気分解する。ポンプ制御装置１３は、電解助剤槽５内の電解助剤液を電解助剤液補給ポンプ４から水道水に供給する為の制御をおこなっている。
【０００３】
図５に従来の流量調整器、例えば強酸性イオン水の流量調整器９の例を示す。この例で、ホース９ａと９ｄのジョイント部に、ホースジョイント９ｂと９ｅが設けられており、このホースジョイント部に流量を調整することのできるオリフィス９ｃが取り付けられていた。
オリフィス９ｃは、圧力を一定にすると、通路面積に比例して、流量調整できる機能を有している。
【０００４】
ところが、この流量調整器９と１０は電解イオン水生成器６のイオン水出口７と８に取り付けられるが，強酸性イオン水及び強アルカリ性イオン水の出水量の生成比率を変化させるには、大小の口径が異なるオリフィス９ｃの交換が必要であり、この為オリフィス９ｃをホースジョイント９ｂと９ｅから外さなければならない構造となっている。
【０００５】
【発明が解決しようとする課題】
電解イオン水生成器６において、生成器の出口にオリフィス９ｃの様に交換しなくても流量調整可能な流量調整器を取り付けることで、強酸性イオン水と強アルカリ性イオン水の出水量の生成比率を変えて出水することができる電解イオン水生成器の流量調整器を提供することが本発明の目的である。
【０００６】
【課題を解決するための手段】
請求項１に関しては、電解イオン水生成器のイオン水出口に、オリフィスの役目をするチューブを接続し、このチューブを通過する強酸性イオン水と強アルカリ性イオン水の流量を調整する為に、チューブの周囲から圧力がかかる構造とし、チューブを通過するイオン水の流量を調整できるようにした。
【０００７】
チューブの周囲に取り付けた圧力調整用の金具は、チューブを挟み込む構造とし、金具の両側からビスで支持する構造を採用し、このビスを締め付けることでチューブと金属板とが固定できる構造を採用した。さらに、ビスを締め付けることで、電解イオン水の流量を適度な流量に調整することができ、従来のオリフィスのように交換しなくとも容易に流量調整可能な構造とした。
【０００８】
チューブを弛めることで、チューブを通過する電解イオン水の最大の流量が得られ、反対にチューブを両側から挟んだ構造の金属板に取り付けられたビスを締めることで、流量調整が可能になるばかりでなく、電解イオン水の出水を止めることができる様にした。
【０００９】
請求項２に関しては，ビスの代わりに小型モーターやソレノイド等を用い、電気的な信号によって調整動作可能となるようにすることができる圧力調整機能を持つ流量調整器を配置し、電解イオン水の流量を調整する構造とした。
【００１０】
【発明の実施の形態】
本発明による実施例を説明する。図１は本発明の実施形態による電解イオン水生成器の要部を拡大した断面図であり，水道水１が蛇口２を通り、圧力調整器３で加圧され電解イオン水生成器６に至る。その途中の経路に、電解助剤槽５と電解助剤液補給ポンプ４が配置されている。交流電源１４は、ポンプ制御装置１３と直流電源装置１２に電気を供給し、この直流電源装置１２は電解イオン水生成器６の＋電極６ｃとー電極６ｄに接続されている。
【００１１】
電解助剤液が電解助剤槽５から電解助剤液補給ポンプ４を通して水道水に供給される。その後、この電解助剤液混入の水道水が電解イオン水生成器６に供給される。供給された電解助剤液混入の水道水は、イオン交換膜１１の両側に配置された＋電極６ｃ、―電極６ｄに印加された直流電流によって電気分解される。電気分解された電解イオン水は、イオン水出口７と８に排出される構造となっている。排出された電解イオン水は、流量調整器１５と１６を通過することで、流量調整されて、強酸性イオン水と強アルカリ性イオンとして出水されて、出水量の生成比率を変化させることができる構造となっている。
【００１２】
図２に実施例の流量調整器の拡大図を示す。図２（ａ）において、１５ａはチューブで、金属板１５ｂと１５ｃにより挟み込まれ、ビス１５ｄと１５ｅが金属板の両側に配置された構造となっている。図２（ｂ）に示す様に、このビス１５ｄと１５ｅを締め付けることで、チューブ１５ａが締め付けられ、内部を通過する電解イオン水の流量を調整することが可能となる。
【００１３】
図３は、本発明の他の実施例である流量調整器を示した面図であり、金属板１６ａと１６ｂの間にチューブ１５ａが挟められた状態であり、この状態で金属板１６ａと１６ｂがチューブ１５ａに接触している。金属板１６ａと１６ｂの片側には、穴が開けられビス１６ｃが挿入されている。このビス１６ｃを回すことで、チューブ１５ａを締め付けることができ、チューブ１５ａを通る電解イオン水の流量を調整することが可能となる。尚、このビスの代わりに１６ｄに示す様な小型モーターやソレノイドなどの電気で駆動することが可能な圧力調整器をもちいても良い。
たとえば、イオン洗浄装置の場合、洗浄物の種類によって、あるいは洗浄工程によって、酸性、アルカリ性イオン水の使用量が違う為、従来の生成器では余った電解イオン水を捨てていた。流量調整することで、この余った電解イオン水を捨てることなく、効率よく電解イオン水を生成できる。
また、電解イオン水生成器の片方の電解イオン水のみの使用の場合、反対側の電解イオン水を洗浄使用済み電解イオン水と混合して再使用することが可能となり、無駄をなくすことができる。
【００１４】
【発明の効果】
本発明の装置では，電解イオン水生成器のイオン水出口を通り、チューブを通過する電解イオン水の流量をビスあるいは小型モーター及びソレノイドで調整することで、強酸性イオン水と強アルカリ性イオン水の出水する生成比率を変化させることが出来る。
【図面の簡単な説明】
【図１】本発明に係わる電解イオン水生成器を示す。
【図２】本発明の実施例である流量調整器の拡大図と断面図を示す。
【図３】本発明の他の実施例である流量調整器の断面図を示す。
【図４】従来の電解イオン水生成器を示す。
【図５】従来の流量調整器を示す。
【符号の説明】
１　　　水道水
２　　　蛇口
３　　　圧力調整器
４　　　電解助剤液補給ポンプ
５　　　電解助剤槽
６　　　電解イオン水生成器
６ａ　　酸性イオン水
６ｂ　　アルカリ性イオン水
６ｃ　　＋電極
６ｄ　　−電極
７　　　イオン水出口（強酸性イオン水）
８　　　イオン水出口（強アルカリ性イオン水）
９　　　　従来の流量調整器（強酸性イオン水）
９ａ　　ホース
９ｂ　　ホースジョイント
９ｃ　　オリフィス
９ｄ　　ホース
９ｅ　　ホースジョイント
１０　　従来の流量調整器（強アルカリ性イオン水）
１１　　イオン交換膜
１２　　直流電源装置
１３　　ポンプ制御装置
１４　　交流電源
１５　　本実施例の流量調整器（強酸性イオン水）
１５ａ　ホース
１５ｂ　金属板
１５ｃ　金属板
１５ｄ　ビス
１５ｅ　ビス
１６　　本実施例の流量調整器（強アルカリ性イオン水）
１６ａ　他の実施例の金属板
１６ｂ　他の実施例の金属板
１６ｃ　他の実施例のビス
１６ｄ　他の実施例の小型モーター及びソレノイド
【図１】
2004009036.tif 000002
【図２】
2004009036.tif 000003
【図３】
2004009036.tif 000004
【図４】
2004009036.tif 000005
【図５】
2004009036.tif 000006